(57)【要約】【課題】  本発明は電気性が強く、構造が簡単で、且つ、回路基板にしっかりと固着する電気コネクタを提供する。【解決手段】  本発明の電気コネクタは、複数の平行な槽を含む絶縁本体と、平行に配列される複数の回路基板モジュールと、回路基板モジュールを覆って絶縁本体に結合するハウジングとを備える。絶縁本体とハウジングとの間に位置する回路基板モジュールは、セパレータと、該セパレータと連接し、絶縁本体の対応する槽に収容される回路基板と、対応する槽に収容され、回路基板と機械的或いは電気的に接続される圧入型端子と、を備える。また、回路基板は複数の円孔が設けられる実装部を含む。圧入型端子は、保持部と、該保持部から上向きに伸び、回路基板の実装部に配置される接触部と、該保持部から下向きに伸び、回路基板と電気的に接続される尾部と備える。中でも、接触部には円孔に収容される突出部が設けられる。該突出部はフラックスで円孔に固定されて電気的に接続される。【選択図】図１
2005174904.tif 000002
【特許請求の範囲】
【請求項１】
電気コネクタにおいて、
複数の第１挿入槽を含む絶縁本体と；
セパレータと、絶縁本体に位置する対応する第１挿入槽に一部分が収容される回路基板と、回路基板と電気的或いは機械的に接続される圧入型端子とを含む回路基板モジュールと；
絶縁本体と回路基板とを覆うハウジングと；
を備えることを特徴とする電気コネクタ。
【請求項２】
前記ハウジングは、複数の開口が開設される上壁を含み、セパレータは、該開口に収容されて前記回路基板モジュールを固定する複数の凸塊を有することを特徴とする請求項１に記載の電気コネクタ。
【請求項３】
前記絶縁本体とハウジングとの間に回路基板モジュールが固定されることを特徴とする請求項２に記載の電気コネクタ。
【請求項４】
前記絶縁本体には、前記第１挿入槽に対応して前記絶縁本体の底部を貫通する第１貫通溝が設けられ、圧入型端子が、対応する回路基板の下辺に半田付けされ、且つ第１貫通溝を通り越すことを特徴とする請求項３に記載の電気コネクタ。
【請求項５】
前記回路基板モジュールは、フランジ及び凹槽を有し、フランジと隣接する回路基板モジュールの凹槽とによって、お互いに結合することを特徴とする請求項１に記載の電気コネクタ。
【請求項６】
前記回路基板モジュールのセパレータには、回路基板が収容されるスペースと、該スペースに位置して前へ突設した定位柱とが設けられ、前記回路基板には、該定位柱が収容される第３貫通孔が設けられることを特徴とする請求項１に記載の電気コネクタ。
【請求項７】
前記ハウジングには、回路基板の対応する第３挿入槽に挿入される定位脚が設置されることを特徴とする請求項１に記載の電気コネクタ。
【請求項８】
前記ハウジングは、前記回路基板モジュールの上部を覆う上壁と、ハウジングの後部と回路基板モジュールとを遮蔽する後壁とを有し、前記定位脚は、該後壁から下向きに延設されることを特徴とする請求項７に記載の電気コネクタ。
【請求項９】
前記複数の回路基板モジュールの最外側にあるセパレータは最外側に位置することを特徴とする請求項１に記載の電気コネクタ。
【請求項１０】
前記絶縁本体は、基部と該基部の底部の一端から前へ伸びて前記第１挿入槽に対応する第２挿入槽が開設された挿入部とを備え、回路基板は、当接部を含み、該当接部が前記第２挿入槽に挿入される延伸部を含むことを特徴とする請求項１に記載の電気コネクタ。
【請求項１１】
前記絶縁本体の後部は、複数の第３挿入槽を有し、回路基板のセパレータには、下向きに伸び、前記第３挿入槽に収容される定位脚が設けられることを特徴とする請求項１に記載の電気コネクタ。
【請求項１２】
前記電気コネクタは、ピンと、前記回路基板に設けられる第４貫通孔と、前記セパレータに開設されて該第４貫通孔と対応する第１貫通孔とを備え、前記ピンは、絶縁本体と、回路基板の第４貫通孔と、該セパレータの第１貫通孔とを通り越すことを特徴とする請求項１に記載の電気コネクタ。
【請求項１３】
前記回路基板モジュールには、前記回路基板を定位するフランジが設けられることを特徴とする請求項１２記載の電気コネクタ。
【請求項１４】
電気コネクタに用いられる回路基板グループにおいて、
複数の挿入槽を含む絶縁本体と；
電気コネクタに連接する当接部と、フラックスを有して円孔が設けられる実装部と、を含む回路基板と；
保持部と、該保持部から上向きに伸び、前記実装部に取り付けられ、フラックスによって前記円孔に収容される突出部が設けられる接触部と、該保持部から下向きに伸びる尾部と、を有する圧入型端子と；
を備えることを特徴とする回路基板グループ。
【請求項１５】
前記接触部は前記保持部の一端から上向きに伸び、前記突出部は該接触部から突出することを特徴とする請求項１４に記載の回路基板グループ。
【請求項１６】
前記実装部の底部には、保持部の上部が収容される半円孔が設けられ、該保持部の上部がフラックスによって該半円孔に固着されていることを特徴とする請求項１５に記載の回路基板グループ。
【請求項１７】
回路基板グループにおいて、
複数の円孔が開設される実装部を含む回路基板と；
保持部と、該保持部から上向きに実装部と平行に伸び、且つ実装部に固着される接触部と、該保持部から下向きに伸びる尾部と、接触部から実装部と垂直に伸び、前記円孔に半田付けされる突出部とを有する圧入型端子と；
を備えることを特徴とする回路基板グループ。
【請求項１８】
前記保持部は回路基板の底面に寄りかかることを特徴とする請求項１７に記載の回路基板グループ。
【発明の詳細な説明】
【技術分野】
【０００１】
本発明は電気コネクタに関し、特に、高速ビットで最適な信号伝送を実現することができる複数の回路基板モジュールを備えた電気コネクタに関するものである。
【背景技術】
【０００２】
電子科学技術の発展に従って、二つの電子装置の間に複数の信号ラインを立てるために、高密度電気コネクタが必要になる。特に、サーバやルーターのような高密度電子機械の内部に取り付ける連接装置に使用される電気コネクタに関する。一般の電気コネクタにはクロストークを防止するために複数の回路基板が設けられる。該電気コネクタは、複数の平行な貫通溝が設けられる前壁を含むハウジングと、前記貫通溝と対応する複数のスロットと、前記スロットと連続する複数の開口を含む当接部と、を備える。前記回路基板は、前記ハウジングの貫通溝を貫通する実装部や、前記対応するスロットに収容されるフランジを有する。該フランジには回路基板に半田付けされる導電端子が設けられる。該導電端子は、当接部の開口を貫通して、回路基板に電気的に接続される。特許文献１、特許文献２にも、この種の電気コネクタが記載されている。ところが、該電気コネクタは、電磁妨害を抑制することができないとともに、該導電端子が回路基板にしっかりと半田付けされなくて、回路基板から離脱する恐れがあり、良好な信号伝送を保持しにくい。
【０００３】
一種の高密度電気コネクタは、絶縁本体と、該絶縁本体に固定される複数の端子グループとを備える。該端子グループは、絶縁カバーと、該絶縁カバーに結合した回路基板とを有する。該回路基板は、お互いに直交する当接辺と実装辺とを含む絶縁基板と、前記当接辺から実装辺まで伸びた複数のラインと、当接辺に半田付けされた複数のソケット端子と、実装辺に半田付けされ、回路基板に電気的に接続された圧入型端子とを備える。該圧入型端子には弾性端が設けられる。該弾性端の変形によって、圧入型端子は回路基板の対応する槽に挿入される。そして、電気コネクタは回路基板にしっかりと固着する。特許文献３にもこの種の電気コネクタが記載されている。しかし、圧入型端子を槽に挿入するために、強い力が必要である。そして、強い力で圧入型端子を挿入した時に、この圧入型端子が破損する恐れがあって、電気コネクタは回路基板にしっかりと固着しにくい。
【０００４】
一種の高速電気コネクタは電子妨害を抑制するためにハウジングを使用している。該電気コネクタは複数のウエハースと該ウエハースを固定するハウジングとを備える。該ウエハースは遮蔽片と信号片とを含む。ウエハースを固定するために、ウエハースには凸塊が設けられ、ハウジングには前記凸塊と対応する溝が開設される。特許文献４にもこの種電気コネクタが記載されている。しかし、凸塊と対応する溝を設置したため、該電気コネクタの構造が複雑になる。また、遮蔽片と信号片とが隣接するため、信号の有効密度が低減する。
【０００５】
従って、前記の欠点を克服するために新たな電気コネクタを設計することが必要である。
【特許文献１】米国特許第６１７１１１５号明細書
【特許文献２】米国特許第６２６７６０４号明細書
【特許文献３】米国特許第６０８３０４７号明細書
【特許文献４】米国特許第５９８０３２１号明細書
【発明の開示】
【発明が解決しようとする課題】
【０００６】
本発明は、電気性が強く、構造が簡単で、且つ、回路基板にしっかりと固着する電気コネクタを提供する。
【課題を解決するための手段】
【０００７】
本発明の電気コネクタは、複数の平行な槽を含む絶縁本体と、平行に配列される複数の回路基板モジュールと、回路基板モジュールを覆って絶縁本体に結合するハウジングとを備える。絶縁本体とハウジングとの間に位置する回路基板モジュールは、セパレータと、該セパレータと連接し、絶縁本体の対応する槽に収容される回路基板と、対応する槽に収容され、回路基板と機械的或いは電気的に接続される圧入型端子と、を備える。また、回路基板は複数の円孔が設けられる実装部を含む。圧入型端子は、保持部と、該保持部から上向きに伸び、回路基板の実装部に配置される接触部と、該保持部から下向きに伸び、回路基板と電気的に接続される尾部と備える。中でも、接触部には円孔に収容される突出部が設けられる。該突出部はフラックスで円孔に固定されて電気的に接続される。
【発明の効果】
【０００８】
従来の技術に比べると、本発明は以下の長所がある。前記ハウジングは、回路基板モジュールを覆って絶縁本体に結合し、有効な電磁妨害の防止の作用をする。同時に、圧入型端子の接触部の突出部はフラックスで回路基板の円孔に固定されているから、圧入型端子の定位及び回路基板との電気的接続を実現しやすい。
【発明を実施するための最良の形態】
【０００９】
図１〜図３を参照すると、本発明の電気コネクタ１００は、絶縁本体１と、ハウジング２と、絶縁本体１に収容される複数の回路基板モジュール３と、回路基板モジュール３に挿入されるピン４とを備える。その中で、ハウジング２は、絶縁本体１と回路基板モジュール３とを十分に覆って、電磁妨害を抑制する。
【００１０】
絶縁本体１は、矩形の基部１０と、該基部１０の底部の一端から前へ伸びる挿入部１１とを備える。該基部１１は、横方向に沿って絶縁本体１を貫通する第２貫通溝１７と、縦長方向に沿って平行に延伸する複数の第１挿入槽１３と、第１挿入槽１３と連接し、且つ基部１０の底部を貫通する複数の第１貫通溝１４と、基部１０の後部に配置される第３挿入槽１６とを有する。絶縁本体１の挿入部１１には、第１挿入槽１３と対応する第２挿入槽１５が開設される。
【００１１】
金属シートから構成されたハウジング２は上壁２０と該上壁２０の後端の一辺から下方へ突設する後壁２２とを有する。後壁２２の前端には複数の開口２０２が開設する。後壁２２には複数の係合片２２０と該係合片２２０から下方へ伸びる定位脚２２２とが設けられる。その中で、係合片２２０が絶縁本体１の対応する凹み（図示せず）に係合し、電気コネクタ１００がプリント回路基板（図示せず）に取り付けられるために、定位脚２２２がプリント回路基板の対応する穴（図示せず）に挿入される。
【００１２】
回路基板モジュール３は平行に配列される。最左側の一つの回路基板モジュール３を除いて、他の回路基板モジュール３の構造は同じである。図５を参照すると、最左側の一つの回路基板モジュール３は、セパレータ３０と、絶縁パネル３２と、両者の間に配置される回路基板グループ３４とを含む。セパレータ３０の第１側面（図示せず）には、上部に位置するフランジ３０９と、回路基板グループ３４が収容されるスペース３００と、該スペース３００に配置され、前へ突設した定位柱３０３と、頂上に設けられるＴ状の凸塊３０４と、底部の左側から下方へ延設して第１貫通孔３０７が設けられる延伸片３０６と、底部の右側から下方へ延設する定位脚３０８とを備える。且つ、セパレータ３０の第２側面（図示せず）には凹槽３１０が設けられる。
【００１３】
図３及び図８を参照すると、回路基板グループ３４は、第３貫通孔３６０を有する回路基板３６と、該回路基板と機械的或いは電気的に接続される複数の圧入型端子３８とを含む。第３貫通孔３６０がセパレータ３０の定位柱３０３を収容することによって、回路基板グループ３４がセパレータ３０と結合することを実現する。また、絶縁パネル３２に配置される複数の第２貫通孔３２０が対応する定位柱３０３を収容することによって、回路基板グループ３４がセパレータ３０と絶縁パネル３２との間に固定される。
【００１４】
図３、図５及び図８を参照すると、他の回路基板モジュール３は最左側の一つの回路基板モジュール３に類似している。それらの相違点は、他の回路基板モジュール３は、絶縁パネル３２を含まず、スペース３００がセパレータ３０の第２側面（図示せず）に開設され、隣接する一対のセパレータ３０がただ一つのＴ状の凸塊３０４を含む。以上の相違点を除いて、それらの他の技術特徴は同じである。隣接する回路基板モジュール３は平行に配列される。一つの回路基板モジュール３とこれに対向している回路基板モジュール３は、それらのセパレータ３０のフランジ３０９と対応する凹槽３１０との係合によって、結合する。
【００１５】
回路基板３６は、セパレータ３０より突出する当接部３６２と、セパレータ３０の高さより高くて、第４貫通孔３６６が開設される実装部３６４と、ハウジング１の第２挿入槽１５に収容される延伸部３６５とを含む。その中で、第４貫通孔３６６と、前記第２貫通溝１７と、セパレータ３０の第１貫通孔３０７とは、一直線上に配置され、ピン４が挿入されることが可能である。また、回路基板３６は、絶縁基板（図示せず）と、基板に位置する信号ライン３７０と接地ライン３７２とを有する。該信号ライン３７０と接地ライン３７２とは当接部３６２から実装部３６４まで伸びる電気性ラインを立てることを提供する。
【００１６】
図３、図５、図６及び図７を参照すると、回路基板モジュール３がハウジング２と絶縁本体１との間に取り付けられる時に、セパレータ３０の凸塊３０４が開口２０２に収容され、定位脚３０８が第３挿入槽１６に嵌め込まれ、実装部３６４が第１挿入槽１３に挿入される。圧入型端子３８は、絶縁本体１の第１貫通溝１４を通り越し、プリント回路基板の対応する穴（図示せず）に挿入される。ピン４は、セパレータ３０の第１貫通孔３０７と、第４貫通孔３６６と、前記第２貫通溝１７とを通り越し、回路基板３６の当接部３６２を正確に定位する。
【００１７】
図８に示すように、回路基板３６の第１側面には、実装部３６４に、信号ライン３７０と接地ライン３７２とが隣接して設けられ、且つ、当接部３６２に、信号ライン３７０と電気的に接続される信号片３７４と、接地ライン３７２と電気的に接続される接地片３７６とが設置される。しかし、図９に示すように、回路基板３６の第２側面には、接地ライン３７２と接地片３７６とだけが設置される。接地ライン３７２が導電孔３７９を貫通することにより、回路基板の両面の接地片３７６が電気的に接続される。
【００１８】
対応する信号片３７４から伸びる信号ライン３７０が複数対で回路基板３６の第１側面に設置されたものは、複数の差分信号ライン３７０になる。接地ライン３７２は、隣接する両対の差分信号ライン３７０の間に位置する。中でも、それらの差分信号ライン３７０はお互いに密接に配列され、隣接する各対の差分信号ライン３７０の間に充分なスペースを有し、各対の差分信号ライン３７０の間におけるクロストークを弱くする。最下方の差分信号ライン３７０は第２側面に配置されるライン３９を有し、長さが短くなるとともにラインの形成が簡単になる。
【００１９】
図３と図４を参照すると、本発明の電気コネクタ１００について、圧入型端子３８が、ＴＨＴ（Ｔｈｒｏｕｇｈ  Ｈｏｌｅ  Ｔｅｃｈｎｏｌｏｇｙ）によって、回路基板３６の実装部３６４に半田付けされる。次に、詳しい説明を示す。
【００２０】
図７と図１０を参照すると、圧入型端子３８は、絶縁本体１の第１貫通溝１４に収容される保持部３８０と、該保持部３８０の一端から上向きに伸び、回路基板３６の実装部３６４に半田付けされる接触部３８２と、該接触部３８２から垂直に突出する突出部３８３と、前記保持部３８０の他の端から下向きに伸び、プリント回路基板（図示せず）と電気的に接続される尾部３８４と、を含む。
【００２１】
図４、図８、図９及び図１０を参照すると、回路基板３の実装部３６４には、円孔３７７と半円孔３７８とが設けられる。前記圧入型端子３８の突出部３８３が円孔３７７に挿入されるとともに、圧入型端子３８の保持部３８０が半円孔３７８収容される。
【００２２】
圧入型端子３８は回路基板３６の実装部３６４に半田付けされることが図４に示されている。実装部３６４の第１側面３０１の信号ライン３７０と接地ライン３７２とには、それらの電気接続を達成するフラックス３５が設けられる。圧入型端子３８はフラックス３５に位置し、突出部３８３が対応する円孔３７８に収容され、保持部３８０の上部が半円孔３７８に挿入される。フラックス３５によって、圧入型端子３８と実装部３６４とがしっかりと固着している。円孔３７７と半円孔３７８とによって、圧入型端子３８は回路基板３６にしっかりと半田付けされる。
【００２３】
総じて、本発明の多数の特徴及び長所など、その構造及び機能が共に前述の記載により掲げられている。また前記の説明は、本発明に基づきなしうる細部の修正或いは変更など、いずれも本発明の請求範囲に属するものとする。
【産業上の利用可能性】
【００２４】
本発明は電気コネクタに関し、特に、高速ビットで最適な信号伝送を現実することができる複数の回路基板モジュールを備えた電気コネクタに関するものである。
【図面の簡単な説明】
【００２５】
【図１】本発明の電気コネクタの立体組合図である。
【図２】本発明の電気コネクタの回路基板の平面図である。
【図３】本発明の電気コネクタの分解斜視図である。
【図４】図３に示されたマークAの局部拡大図である。
【図５】本発明の電気コネクタの圧入型端子を除いた回路基板モジュールの分解斜視図である。
【図６】図２のＶＩ−ＶＩの方向に沿っての断面図である。
【図７】図２のＶＩＩ―ＶＩＩの方向に沿っての断面図である。
【図８】本発明の電気コネクタの回路基板の第１側面の平面図である。
【図９】本発明の電気コネクタの回路基板の第２側面の平面図である。
【図１０】本発明の電気コネクタの圧入型端子の立体図である。
【符号の説明】
【００２６】
１  絶縁本体
２  ハウジング
３  回路基板モジュール
４  ピン
１０  基部
１１  挿入部
１３  第１挿入槽
１４  第１貫通溝
１５  第２挿入槽
１６  第３挿入槽
１７  第２貫通溝
２０  上壁
２２  後壁
３０  セパレータ
３２  絶縁パネル
３４  回路基板グループ
３５  フラックス
３６  回路基板
３８  端子
３９  ライン
１００  電気コネクタ
２０２  開口
２２０  係合片
２２２  定位脚
３００  スペース
３０３  定位柱
３０４  凸塊
３０６  延伸片
３０７  第１貫通孔
３０９  フランジ
３１０  凹槽
３２０  第２貫通孔
３６０  第３貫通孔
３６２  当接部
３６４  実装部
３６５  延伸部
３６６  第４貫通孔
３７０  信号ライン
３７２  接地ライン
３７４  信号片
３７６  接地片
３７７  円孔
３７８  半円孔
３７９  導電孔
３８０  保持部
３８２  接触部
３８３  突出部
３８４  尾部
【図１】
2005174904.tif 000003
【図２】
2005174904.tif 000004
【図３】
2005174904.tif 000005
【図４】
2005174904.tif 000006
【図５】
2005174904.tif 000007
【図６】
2005174904.tif 000008
【図７】
2005174904.tif 000009
【図８】
2005174904.tif 000010
【図９】
2005174904.tif 000011
【図１０】
2005174904.tif 000012